(57)【要約】  本発明の一態様は、海底より上のサーフコンディションを向上させる方法を提供する。海底は、拘束されていない堆積物から少なくとも部分的に形成される。方法は、拘束されていない堆積物の構造ＳＢを形成するために堆積物の一部を移動させることを含む。本発明の別の態様は、海底より上のサーフコンディションを向上させるための整備装置（１０）を提供する。装置は、海底に沿って移動方向に移動可能であり、出口（１６ｄ）および装置（１４ｃ）を含む。出口は、堆積物の一部を移動させるために水流を、移動方向を横切る方向に方向付けるためのものである。装置は水流を方向付けることにより生じる力に抵抗するために海底と係合するためのものである。
2018526546.tif 000002
【特許請求の範囲】
【請求項１】
海底より上のサーフコンディションを向上させる方法であって、
前記海底が、拘束されていない堆積物から少なくとも部分的に形成され、
前記方法が、前記堆積物の一部を移動させて拘束されていない堆積物の構造を形成することを含み、および
前記移動させることが、堆積物を除去すべき前記海底の部分に向けて水流を方向付けることを含む、方法。
【請求項２】
前記移動させることが、サーフコンディションを向上させるために選択された計画に従う、請求項１に記載の方法。
【請求項３】
前記計画が、
予想されるうねり強度、
予想されるうねり角、および
ターゲットとなるサーファーの好み、
のうちの少なくとも１つに基づく、請求項２に記載の方法。
【請求項４】
前記構造の１つまたは複数の部分が、平面図において、予想されるうねり角に対して横方向にそれぞれ延在する、請求項１〜３のいずれか一項に記載の方法。
【請求項５】
前記部分が、平面図において、前記予想されるうねり角に対して、３０°〜６０°（両端の値を含む）の範囲内の各夾角でそれぞれ延在する、請求項４に記載の方法。
【請求項６】
前記構造が、平面図において、複数の前記部分から構成されたジグザグの形状を有する、請求項４または５に記載の方法。
【請求項７】
前記水流を作り出すために船の推進装置を操作することを含む、請求項１〜６のいずれか一項に記載の方法。
【請求項８】
前記推進装置が噴流装置である、請求項７に記載の方法。
【請求項９】
前記船が個人用の船舶である、請求項８に記載の方法。
【請求項１０】
前記移動させることは、前記船が整備装置を牽引することを含み、
前記整備装置が、前記推進装置から前記水流を搬送するための導管を含む、請求項７〜９のいずれか一項に記載の方法。
【請求項１１】
前記移動させることが、整備装置を移動方向に移動させることを含み、
前記水流を方向付けることが、前記移動方向を横切る方向に方向付けることである、請求項１〜１０のいずれか一項に記載の方法。
【請求項１２】
海底より上のサーフコンディションを向上させるための整備装置であって、
前記海底が、拘束されていない堆積物から少なくとも部分的に形成され、
前記整備装置が、前記海底に沿って移動方向に移動可能であり、および、
前記堆積物の一部を移動させるために水流を、前記移動方向を横切る方向に方向付けるための出口と、
前記水流を方向付けることにより生じる力に抵抗するために前記海底と係合するための装置とを含み、
前記出口が、導管を通して前記水流を押し出すために船の推進装置用に配置された導管の出口であり、
前記船が噴流装置を有し、前記導管が、前記噴流装置から前記水流を受けるように構成された入口を含み、
前記整備装置が取り付け具を含み、その取り付け具によって前記導管が前記船に接続可能であり、
前記取り付け具が、前記噴流装置の出力を前記導管と前記船の推進との間で分割するように構成され、それにより前記整備装置が移動している間の整備が可能になる、整備装置。
【請求項１３】
整備を行う間、前記船によって牽引されるように構成される、請求項１２に記載の整備装置。
【請求項１４】
前記海底と係合するための装置が少なくとも１つのフィンを含む、請求項１２または１３に記載の整備装置。
【請求項１５】
前記堆積物上を摺動するように構成された少なくとも１つのスキッド部分を含む、請求項１２〜１４のいずれか一項に記載の整備装置。
【請求項１６】
前記船が個人用船舶である、請求項１２〜１５のいずれか一項に記載の整備装置。
【発明の詳細な説明】
【技術分野】
【０００１】
本発明の好ましい形態は、サーフコンディションを向上させることに関する。
【背景技術】
【０００２】
サーフィンは大きな経済的価値のある余暇活動である。いくつかの地域では、その地域の好ましいサーフコンディションを利用しようと訪れたサーファー達によって、地域経済全体が維持されている。
【０００３】
誤解を避けるために、「サーフィン」は、ボディボーディングおよびスタンドアップパドルボーディングを含む幅広い波乗り活動を含むように本明細書において使用される。「サーフコンディション」は、本明細書では波の形状および挙動に言及するために使用される。
【０００４】
典型的には、一組の波が海岸線に近づくにつれて、それらの波は減速し、一緒に「押しつぶされる（ｓｑｕａｓｈ）」。より技術的な用語を用いて言うと、波の数が維持される一方で波長は短くなる。このプロセスはショアリング（ｓｈｏａｌｉｎｇ）と呼ばれ、波高を増大させる。最終的には、波のより低い部分は、それらが波のより高い部分によって追い越される速度まで遅くなる。これは波のブレイク（ｗａｖｅ  ｂｒｅａｋｉｎｇ）と呼ばれる。
【０００５】
波がどのようにブレイクするかは、サーフコンディションの重要な側面であり、すべてのサーファーが同じ好みを持つわけではない。一般に初心者は、「こぼれる（ｓｐｉｌｌ）」波、すなわち、追い越し部分が波の主面に流れ落ちる波を好む。より多くの経験を積んだサーファーは、「落ちる（ｐｉｔｃｈ）」波、すなわち、サーファーが中でサーフィンすることができるチューブ状の空洞を画成するように波の追い越し部分が波の主面の前方にいくらか距離を置いて落下する波を好むことが多い。
【０００６】
波を２次元で考えることはしばしば好都合であるが、波は実際には３次元である。波がその進行方向を横切る方向（すなわち、うねり角を横切る方向）においてどのように挙動するかは、サーフコンディションの別の重要な側面である。多くの人は、一方のまたは他方のそのような横切る方向において徐々に落ちる波を理想と考える。これにより、波のチューブ状部分の中のサーファーがチューブの端から出る前に波のブレイク部分を後追いするバレルライディングが可能になる。
【０００７】
一般的に言えば、サーフコンディションは、時によっておよび場所によってかなり変化する。格段に長い浜の比較的短い部分であってサーフコンディションがより好ましい部分の周辺にサーファーが殺到している光景を目にするのは珍しくない。この殺到および最良の波を求める争いは、多くのサーファーのスポーツの楽しみを損ない、浜の経済的価値を制限する。
【０００８】
時による変化も同じく問題を含んでいる。多くの人にとってサーフィンのための時間は限られたものであり、浜に到着し好ましくないサーフコンディションだと分かると大変残念に思うだろう。
【０００９】
潮流および風の方向の変化はサーフコンディションの変化に寄与する。いくつかの波は満潮または干潮でのみブレイクし得る。熟練のサーファーは、通常、一般に沖に向かって吹く（オフショア）風を好む。オフショアの風は波高点を上に保つ傾向があり、波が落ちる可能性を高める。風が陸に向かって吹く（オンショア）場合、波はより簡単に砕ける。
【００１０】
本特許明細書中の情報のいずれかが共通の一般知識であることは認められず、また、当業者がそれを解明しまたは理解すること、それを関連とみなすこと、または優先日前に何らかの方法でそれを組み合わせることを合理的に期待されることができることも認められない。
【発明の概要】
【発明が解決しようとする課題】
【００１１】
前述の内容を考慮して、本発明の少なくとも好ましい形態は、サーフコンディションを向上させることである。
【課題を解決するための手段】
【００１２】
本発明の一態様は、海底より上のサーフコンディションを向上させる方法を提供し、
海底は拘束されていない堆積物から少なくとも部分的に形成され、
方法は、堆積物の一部を移動させて拘束されていない堆積物の構造を形成することを含む。
【００１３】
移動させることは、サーフコンディションを向上させるために選択された計画に従うのが好ましく、計画は、
予想されるうねり強度、
予想されるうねり角、および
ターゲットとなるサーファーの好み、のうちの少なくとも１つに基づくことができる。
【００１４】
構造の１つまたは複数の部分は、平面図において、予想されるうねり角に対して横方向にそれぞれ延在するのが都合が良い。好ましくは、それらの部分は、平面図において、予想されるうねり角に対して、３０°〜６０°（両端の値を含む）の範囲内の各夾角でそれぞれ延在する。最も好ましくは、その構造は、平面図において、複数の部分から構成されるジグザグの形状を有する。
【００１５】
移動させることは、堆積物が除去される海底の部分に向かって水流を向けることを含むことができる。これは、水流を作るために船の推進装置、例えば噴流装置を操作することを含んでもよい。船は個人用の船舶であるのが好ましい。
【００１６】
移動させることは、整備装置を牽引する船を含むことができ、整備装置は、推進装置から水流を搬送するための導管を含むことができる。
移動させることは整備装置を移動方向に移動させることを含むのが好ましく、および、水流を方向付けることは移動方向を横切る方向に方向付けることである。
【００１７】
本発明の別の態様は、海底より上のサーフコンディションを向上させるための整備装置を提供し、
海底は拘束されていない堆積物から少なくとも部分的に形成され、
この装置は、海底に沿った移動方向に移動可能であり、および、
堆積物の一部を移動させるために水流を、移動方向を横切る方向に方向付けるための出口と、
水流を方向付けることから生じる力に抵抗するために海底と係合するための装置と、を含む。
【００１８】
出口は、導管を通して水流を押し出すために船の推進装置用に配置された導管の出口であるのが好ましい。船は、噴流装置を有する個人用の船舶であってもよく、この場合、導管は、噴流装置から水流を受けるように構成された入口を含んでもよい。そうである場合、装置は好ましくは、それによって導管が個人用船舶に接続可能である取り付け具を含み、取り付け具は、噴流装置の出力を導管と個人用船舶の推進との間で分割するように構成され、それにより装置が移動している間の整備が可能になる。
【００１９】
装置は、整備を行う間、好ましくは船によって、移動方向に牽引されるように構成されてもよい。
海底と係合するための装置は、少なくとも１つのフィンを含むことが好ましい。
【００２０】
装置は、装置を牽引することができるドローバーを含むことが好ましく、この場合、ドローバーは、移動方向に対して横方向の軸の周りで、係合装置に対して枢動するように強制されることが好ましい。
【００２１】
装置は好ましくは、堆積物上を摺動するように構成された少なくとも１つのスキッド部を含む。
本発明の別の態様は、水流を提供する方法であって、船の噴流装置の出力を分割することを含む方法を提供する。本発明の別の態様は、水流を提供するために船の噴流装置の出力を分割するように構成された取り付け具を提供する。本発明のこれらの態様は、サーフコンディションを向上させること以外の用途を有する。
【図面の簡単な説明】
【００２２】
【図１ａ】サンドバーを概略的に示す図である。
【図１ｂ】サンドバーを概略的に示す図である。
【図１ｃ】サンドバーを概略的に示す図である。
【図２ａ】改良されたサンドバーの概略平面図である。
【図２ｂ】島の概略平面図である。
【図２ｃ】尖端の概略平面図である。
【図２ｄ】別の尖端の概略平面図である。
【図２ｅ】図２ｃの線Ａ−Ａに対応する垂直断面図である。
【図２ｆ】図２ｄの線Ｂ−Ｂに対応する垂直断面図である。
【図３】その右側に堆積物を投下するように構成された整備装置の潜在的な経路を示す図である。
【図４ａ】整備前の海底の輪郭を示す図である。
【図４ｂ】整備後の海底の輪郭を示す図である。
【図５ａ】自然に発生するポイントブレイクを概略的に示す図である。
【図５ｂ】整備後の図５ａのポイントブレイクを概略的に示す図である。
【図６】図５ａのポイントブレイクを整備するための整備経路を示す図である。
【図７】整備装置の平面図である。
【図８】整備装置の立面図である。
【図９】ヒッチング装置を概略的に示す図である。
【図１０】水圧コネクタの斜視図である。
【図１１】図１０の水圧コネクタの端面図である。
【発明を実施するための形態】
【００２３】
本発明者は、海底の形状がサーフコンディションに影響を及ぼすこと、および海底を再成形することによってサーフコンディションを向上できることを認識した。具体的には、波は、波の高さ（頂部から谷まで）の約１．３倍の深さを有する水中に移動すると、典型的にブレイクすることを認識した。
【００２４】
海底は、構造を形成することによって再成形することができる。この構造は、礁、ポイントまたはサンドバーなどの自然の地形をシミュレートすることができる。充填された穴または再成形された海底などの他の構造も可能である。構造は好ましくは水中の構造である。
【００２５】
海底は、堆積物を移動させることによって再成形することができる。「堆積物」は、本明細書中、少なくとも部分的に海底を構成する流動性の物質に言及するために使用される。堆積物は、砂、小石、沈泥および泥のうちの１種または複数種であり得る。
【００２６】
礁は岩や珊瑚から形成された水中構造物である。通常、礁は沖合に位置し、より深い水に囲まれる。波の質は、礁の形状とそれに当たるうねりの角度によって決定される。礁は硬く剛性の物質で構成されているため、水深を深いものから浅いものへ（そして再び深いものへ）急激に変化させる場合がある。この急激な深さの変化は、波がかなり落下する原因となり、そのため、世界中の多くの優れた波はリーフブレイクである。
【００２７】
あるものは人工的な礁を作ることによってサーフコンディションを向上しようとした。いくつかの人工的な礁は、砂袋の中に拘束された砂などの拘束された堆積物を含んでいる。他のものはコンクリートブロックまたは自動車タイヤなどの人工的な物質を含んでいる。他のものは他の場所から輸入された岩などの他の外来の物質をさらに含んでいる。
【００２８】
ポイントブレイクは、満潮標上に露出した岩状または砂状の特徴物である。波がポイントに沿ってブレイクすると、うねりが海岸線に対して斜めの角度でぶつかる。これらの波は非常に長い場合がある。これは、波が浜で「クローズアウト」する終点に最終的に到達するまで、波が多かれ少なかれ無期限にブレイクし得るからである。繰り返すと、波の質は、ポイントの形状とうねりの方向によって決定される。ポイントブレイクは、岩底または砂底、またはこの組み合わせであってもよい。砂底のポイントは、砂の形状に応じて質が変化することがある。
【００２９】
サンドバー（サンドバンク、ビーチブレイク、ショアブレイク、またはショアダンプとも呼ばれる）は、表面の真下の物質の堆積からなるという点でリーフブレイクに似ている。サンドバーは、硬い物質ではなく砂から構成されているという点で、リーフブレイクとは異なる。
【００３０】
サンドバーは水流の影響を強く受けるため短期的かつ一時的なものである。このような水流によって、サンドバーは時間とともに形状を変化させ得る。他の種の波と同様に、サンドバーの波質は、とりわけ海底の形状とうねりの方向によって決定される。
【００３１】
本発明の好ましい形態は、サーフコンディションを向上させるために、サンドバーおよび／または他の海底特徴部を再成形することに関する。有利な方法および装置が本明細書に開示される。この装置は、移動方向に動くことができ、その方向に対して横切る方向に堆積物を移動させることができる整備装置を含む。整備装置および他の装置に言及する前に、方法についてここで説明する。
【００３２】
本発明者は、うねり角度ＳＡに対して約４５°、例えば３０°〜６０°（両端の値を含む）の角度αで延在するサンドバーＳＢ（または海底上の他の突起物）の部分が非常に望ましいことを認識した。図１ａ〜図１ｃにおいて、矢印Ｂは、ブレイクがサンドバーの斜めの部分に沿って移動する方向を示している。
【００３３】
図１ａは、望ましい範囲よりも急峻な角度αの部分を有するサンドバーＳＢを示す。サンドバーＳＢの海側が波の落下を引き起こすのに十分なほど急峻な場合、波は速くブレイクしすぎて乗れない可能性がある。つまり、波が落下するポイントは、うねり角度を横切る方向に速く移動し過ぎて、サーファーがついていくことができない。結果として、サーファーは波のチューブ状部分に閉じ込められ、「見捨てられる（ｄｕｍｐｅｄ）」。
【００３４】
図１ｂは、この範囲よりも浅い角度αの部分を有するサンドバーＳＢを示す。これは永続的なチューブ状の波形を作り出さない。むしろ波は自然に潰れる傾向がある。
図１ｃは、約４５°の角度αの部分を有するサンドバーＳＢを示す。落下する波を作り出すように適切に成形されているので、これは、強く求められる後のバレルライドにつながるチューブ状のブレイクを作り出す。
【００３５】
図１ａ〜図１ｃは三角形のサンドバーを示し、そのそれぞれは海に向けられた頂点を有する。これらのサンドバーは、波毎に２つのブレイクを、すなわち海に向けられた頂点の両側にそれぞれ１つのブレイクを作り出すように成形されている。
【００３６】
多くの自然に発生するサンドバーは、うねり角に対して約９０°の角度αで延びる。これは本質的には図１ａに示されているものの極端なケースであり、波の前面全体が同時にブレイクする結果となり、これは波の「クローズアウト」と呼ばれる。
【００３７】
本明細書で使用される場合「うねり角」は、波が進行する方向を指す。一般的に言えば、うねり角は波の頂点に対して垂直である。いくつかの文献は波の「はがれ角（ｐｅｅｌ  ａｎｇｌｅ）」を以下の間の角度として定義している。
【００３８】
・ブレイクした白く泡立つ水の軌跡（すなわち、矢印Ｂ）、および
・ブレイクしていない波の頂点。
このように、はがれ角は９０°未満のαにほぼ等しい。
【００３９】
うねり角とはがれ角は一定ではない。波は海底の構造の周りで屈折するとき方向を変える。図２ｂは、涙滴状の島の周りを包み込むときの波のうねり角ＳＡおよび波の頂点ＷＣを示す。したがって、この島の海岸に沿って、うねり角に対して約４５°の角度αで延びる非常に長いサンドバーは、平面で見ると湾曲していることもある。
【００４０】
ブレイクを開始する構造の角度αは、サーフィンをするための波の質に影響を及ぼす重要な要因である。別の重要な要因は、水平に対するブレイク開始構造の傾きである。この傾きは、ここでは、図２ｅおよび図２ｆに示す角度θによって定量化される。図２ｃおよび図２ｄは、一対の尖端構造を平面で示す。各尖端の各辺は約４５°の最適な角度αを有する。尖端は、水平に対するそれらの面の傾きによって異なる。
【００４１】
図２ｅおよび図２ｆはそれぞれ（図２ｃの）線Ａ−Ａおよび（図２ｄの）線Ｂ−Ｂに対応する垂直断面図である。これらの図は、うねり角ＳＡに垂直な平面を通っている。勿論、角度θは、サンドバーＳＢの同じ領域内の輪郭線ＣＬに垂直な断面図に描かれた同様の角度よりも低い値を有する。
【００４２】
角度θは、ブレイク付近の波乗り可能な領域の波の形状に影響を与える。波乗り可能な領域は時々「パワーポケット」と呼ばれる。図２ｅのような急峻な角度θは、寸法Ｌによって示唆されるように短い波乗り可能な領域をもたらすが、より浅い角度θは図２ｆの寸法Ｌによって示唆されるように波乗り可能な領域を拡張する。約３°の角度θが、より経験豊富なサーファーに適した急峻なフェイスを有する長い波乗り可能な領域を作り出すことが分かっている。より浅い角度θが必ずしもより良いとは限らない。θが０に近づくにつれて、海底の形状は、波全体を同時にブレイクさせる、すなわち波をクローズアウトさせる平行なサンドバーの形状に近づく。
【００４３】
サーフコンディションの向上は、現在のサーフコンディションの評価および／または海底調査を開始するかもしれない。この調査は、レーザーおよび／またはソナーの技術を必要とする場合がある。例えば、３Ｄ三角測量が海底上の地点を特定できるようにブイが海底の深さを調査者に伝えることも可能である。本発明者は、この目的のために航海レーンの調査に以前に用いられた技術を利用することができることを認識している。
【００４４】
調査結果に基づいて、オペレータは、潜在的にコンピュータ画面などのディスプレイに表示された３Ｄモデルの助けを借りて海底の形状を視覚化し得、その視覚化に基づいて、サーフコンディションを向上させるべくどのように堆積物を最良に移動するかを計画し得る。この計画段階では、以下の１つまたは複数の要因を考慮する必要があろう。
【００４５】
・予想されるうねり強度、
・予想されるうねり角、
・予想される潮位、
・予想される風の強さ、
・予想される風向、および
・ターゲットとなるサーファーの好み。
【００４６】
新しいサンドバーを最初から作る場合、波がそれに沿ってブレイクするような三角形の形状を単純に設計するのが適切であろう。他方、既存のポイント（例えば、砂底ポイントブレイク）を改良する場合、ブレイクの特定の部分に砂を加えて、それを他の部分から除去することが適切であろう。
【００４７】
調査が完了したら、人工サンドバーを設計することができる。重要な考慮事項は、一般的なうねりに対するサンドバーの角度である。前述したように、平面上で三角形のサンドバーは、サーファーを左右に行かせることができる。この種の設定は「尖端」として知られている。
【００４８】
サンドバーは、整備の角度αを変えることによって、様々なサーファー技量に適合するように構成することができると有利である。特定のスポットは初心者用に整えることができ、他のスポットは上級者用に設計することができる。ブレイクは一方向に速く、他方で遅くなるように、またはゆっくりと開始してから速度を上げるように設計することができる。
【００４９】
図２ａで示唆されているように、連続したいくつかのサンドバーＳＢを、それらのバンクがジグザグを形成した状態で整列するように、浜全体に沿って整えることができる。これは、様々なブレイクに沿って群衆を分散する働きをする。いくつかのブレイクを初心者向けに、他を上級サーファー向けに設計すること、またはさまざまなうねり角で機能するバンクを設計することが望ましい。
【００５０】
これらのサンドバーＳＢを作る間、いくつかの地点では、波のブレイクを遅らせるために水深がより深くされるが、他の地点では波のブレイクを促すために水深が浅くされる。
この方法の好ましい形態では、サンドバーは、計画にしたがって整備装置を移動することによって作られる。整備装置の経路は、電子ナビゲーションシステム（例えば、ＧＰＳシステム）および／またはブイの配置（および／または他の基準点）の助けを借りて決定されてもよい。
（シナリオ１−新しいサンドバーの整備）
図３は、その右側に堆積物を投下するように構成された整備装置（すなわち、右手系装置（ｒｉｇｈｔ−ｈａｎｄｅｄ  ｄｅｖｉｃｅ））の潜在的な経路を示す。この経路は、一対のサンドバーＳＢとそれらの間の三角形の深い領域とを作り出すように構成される。経路は以下の助けを借りてマッピングされる。
【００５１】
・中央ブイＣ、
・ブイ１〜６、および
・ブイ１のもう一方の側のブイ２〜６と対称なブイ（図示せず）の配列。
【００５２】
経路は反時計回りで外向きに螺旋状であるため、通過毎に堆積物はさらに外側に移動される。あるいは、時計回りの経路が左利き装置に適しているであろう。
経路は、
・中央ブイＣからブイ１へ移動し、次に
・ブイＣへ戻り、その後、反復的に、
・ブイ１〜６の次へ移動し、
・他方のブイの対応するものへ移動し、そして
・中央ブイＣに戻る。
【００５３】
図４ａおよび図４ｂは、図３で説明した整備作業の前後の海底の輪郭を詳細に示している。この輪郭は、ブイＣが配置された位置でそれらが収束するとき互いに向かって移動する２つのブレイクをもたらす。
（シナリオ２−既存の礁またはポイントの整備）
シナリオ１では、新しいサーフスポットを基本的に均一な砂の表面上に整備した。これにより波が左右にブレイクする三角形のビーチブレイクが作り出される。これは波乗り可能な波を作り出すことができる一方、整備されたサンドバーは最終的に海底の勾配によって長さが制限される。
【００５４】
これは、波が水深に比例してブレイクすることしかできないためである。急に落ち窪んだ海底では、波は浜に到達する前にブレイクする。当然、これはそのような浜で整備可能な波の長さを制限する。
【００５５】
これとは対照的に、ポイントブレイク（ある範囲まではリーフブレイク）は、それらがどれくらいの長さでブレイクし得るかにほぼ制限はない。世界で最も長い波の中には、単純に礁またはポイントの長さのために１キロを超えるものがある。他のすべてのものが等しい場合、ほとんどのサーファーは短い波よりも長い波を好むであろう。したがって、砂底のポイント（または礁）は整備の候補である。
【００５６】
ビーチブレイクのように、良い波を作り出すためには、ポイントまたは礁の形状がちょうど良いものでなければならない。隣接する十分な堆積物があれば、既存のポイントまたはリーフブレイクを改良するためにサーフ整備を使用することが可能である。
【００５７】
図５ａは、水位線より上の植生Ｖに隣接する浜の乾燥砂ＤＳによって形成された仮想的で自然発生的な、粗悪な砂底ポイントブレイクの平面図である。乾燥砂ＤＳは、所望の３０°〜６０°の範囲内でうねり角ＳＡに対して角度αを成しているが、輪郭線ＣＬによって示唆される隆起部Ｒなどの表面下の不規則性によって、ブレイクは方向を変える。これは、望ましい滑らかなバレルよりむしろ乱雑な波をもたらす。
【００５８】
図６は、図５ａのポイントブレイクによって作り出されるサーフコンディションを向上させるための右手系の整備装置の適切な整備経路を示す。この整備経路には、アクティブな通過と非アクティブな通過が組み込まれている。アクティブな通過の間、整備装置はアクティブであり、砂を海岸に向かって投下する。各アクティブな通過の後に非アクティブな通過が続き、中央ブイに戻る。整備は、砂が海の方に移動しないように戻りの通過では停止される。各アクティブな通過は、前のアクティブな通過よりも海岸に近いため、砂は徐々に海岸に向かって移動させられる。
【００５９】
図５ｂは、この整備の結果を示す。輪郭線は真直ぐにされ、次にブレイク線Ｂが真直ぐにされ、より整然とした波が生み出される。
図７および図８の整備装置１０は、ドローバー１２、海底横断部１４および供給導管１６を組み込んでいる。
【００６０】
海底横断部１４は、スキッド装置１４ａ、スキッド装置１４ａの上にある上部構造１４ｂ、およびスキッド装置１４ａから下方に突出する砂係合フィン１４ｃを組み込んでいる。
【００６１】
装置１０の初期のプロトタイプは、並置され、上部構造１４ｂによって相互に結合された２つのスノーボードから構成されたスキッド構成を含む。当然のことながら、これは、海底に沿って滑る可能なスキッド部分の１つの例に過ぎない。スキッド装置１４ａの上向きの端部は、堆積物を掘るのではなく、海底を横切って滑ることを促す。
【００６２】
ドローバー１２は、上部構造１４ｂから、浮かんでいる牽引船に向かって斜めの角度で上方に延びるように配向されている。ドローバー１２は上部構造１４ｂに接続され、横断部１４がいずれかの側に転倒するのを防止することが好ましい。この例では、この接続部は、略水平でかつ移動方向に対して略横方向の枢軸を有する枢動接続の形態をとり、それにより、ドローバーは横断部１４に対して枢動可能であり、深さの差を調整する一方でなおも横断部１４を直立に保持する。
【００６３】
導管１６は、ドローバー１２に取り付けられ、その上端にある可撓性導管部分１６ａからその下端にある出口１６ｂまでドローバー１２に続いている。可撓性導管部分１６ａは、使用中、図１０の油圧コネクタ２０に結合され、そこから高エネルギーの水流を受ける。出口１６ｂは、構成要素１２、１４を枢動接続する枢動接続部に近接して配置され、斜めの角度で海底に向かって下方に向けられ、装置１０が移動する方向に略垂直である。
【００６４】
出口１６ｂは、高エネルギーの水流を進行方向の右側に向けるように配向されている。すなわち、整備装置１０は、これらの用語が本明細書で使用されるとき、右手系装置である。
【００６５】
装置に隣接する堆積物に衝突する高エネルギーの水流は、その堆積物を横方向に移動させる働きをする。当然のことながら、流体のこの方向転換による相当の反作用力は、構造１４がその進行方向に対して左方向に移動するように促す傾向がある。フィン１４ｃは、堆積物を掘り下げるように構成されている。この係合形態は、水流を向けることに起因する反作用力に抵抗する働きをする。言うまでもなく、フィン１４ｃは、海底に係合するための装置の一例に過ぎない。
【００６６】
装置１０の好ましい形態は、水流が海底に向けられる垂直から角度を変化させる方向転換可能な出口１６ｂを組み込んでいる。これにより、整備装置１０の堆積物移動特性を所望のサーフコンディションに適合するように調整することができる。一定の流れの強度のために、方向付けられた水のより急峻な流れは、より狭いがより深い砂の帯状部分を移動させる（すなわち、より狭い流路を作り出す）傾向があり、およびその砂をより急峻に盛り上がった帯状部分に堆積させる傾向がある。対照的に、浅い傾斜角は、材料のより幅広で浅い帯状部分を移動させ、同様にその物質をより大きな横方向に隣接する領域に堆積させる傾向がある。
【００６７】
サーフ整備装置は、所定の整備結果にしたがって構成されているのが好ましい。一例として、初心者に合ったサーフブレイクを作り出すために、出口１６ｂをより急峻に下方に向けることができ、整備経路をより近づくように一緒に移動させて、図２ｃのようなより急峻な角度θを作り出す。整備計画は、より浅い角度αを作り出すように修正されてもよい。反対に、これらの変化は、上級サーファーに適合するために、より長く、より急峻で、より速い波乗り可能な波部分を作り出すために逆転されてもよい。
【００６８】
図９は、装置１０を適切な牽引乗り物につなぐことができるヒッチ装置１８を示している。装置１８は、ヒンジ１８ｂを有し、そのヒンジ軸が略水平で移動方向に対して略垂直になるように使用中配置される。ヒンジ１８ｂの一方のリーフ部分は、適切な留め具で牽引乗り物に取り付けられる。ヒンジ１８ｂの他方のリーフ部分はドローバー１２に枢動可能に接続され、ドローバーがそのリーフ部分に対して垂直な軸の周りを枢動できるようにする。このように、ドローバーは、連結されたときに、牽引乗り物に対して２種類の枢動自由度を有する。この例では、枢動接続部は、自由なヒンジリーフ部分に対して垂直でありドローバー１２の上端に形成されたアイレット１８ｄによって囲まれるピンの形態をとる。コッタピン１８ｅなどの適当な留め具が、ピン１８ｃを貫いて横方向に延びる開口と係合し、ドローバー１２をピン１８ｃ上に捕捉する。
【００６９】
この接合（ｊｏｉｎｔ）によって提供される２種類の自由度により、牽引乗り物は、牽引乗り物および装置１０の組み合わせの操作を容易にするために、および枢動が海底深度の変動を調整するように、装置１０に対して回転することが許容される。
【００７０】
牽引乗り物は個人用の船舶の形態をとると好ましい。コネクタ２０は、船舶（および牽引された装置１０）の推進と装置１０への水流の供給との間で船舶の噴流装置の出力を分割する働きをする。この目的のために、その継手は、船舶の噴流装置Ｊと係合可能な単一の入口２０ａと、２つの出口２０ｂ、２０ｃとを含む。図示された態様（ｖｅｒｓｉｏｎ）では、入口２０ａは噴流装置と係合するゴム部分と、入口２０ａおよび噴流装置Ｊの両方を串刺しにしてこれらの構成要素を相互に接続するピン２２とを含む。出口２０ｂは入口２０ａと同軸であり、次に噴流装置Ｊは、この例では、推進するための水流を提供する働きをする。出口２０ｃは、入口２０ａと出口２０ｂとの間から水を取り込むように構成された分岐管の端部にある。これらの例では、出口２０ｂ、２０ｃのそれぞれには、それぞれのバタフライバルブ２４、２６が取り付けられており、このバタフライバルブを介して、船舶の出力を配分することができる。勿論、作業中は、バルブ２４、２６の少なくとも一方を全開にして、船舶からの出力が不必要に制限されないようにすることが好ましい。
【００７１】
出口２０ｃは、導管１６の可撓性部分１６ａと嵌合する。可撓性部分１６ａは、装置１０に対する船舶の動きに対応する働きをする。
整備装置１０の代替態様（図示せず）は、ドローバー１２なしで行う。その代わりに、導管１６が、装置の下部がそれによって牽引される牽引ラインとして働く。これは装置を単純化する。さらに、導管１６または他の牽引ラインなど、可撓性の牽引装置を使用することにより、牽引乗り物が波によって後方に押された場合に生じ得るＶ字型に折れ曲がること（ｊａｃｋ−ｋｎｉｆｉｎｇ）の危険性が排除される。
【００７２】
本発明の好ましい形態は、サーフコンディションを向上させるための自然な海底物質の効率的な再配置を提供する、またはそれを伴う。有利なことに、この再配置は通常一時的なものであり、すなわちこれは整備がいったん停止されると海底はその自然の状態に急速に戻ることを意味する。さらに、本発明の方法および装置の態様は、変化する環境条件およびサーファーの好みに適応するために海底の輪郭の継続的な改良および修正を可能にし、この整備はサーフィンが続いている間も安全に進めることができる。例えば、装置１０は、既存の人工的な礁を再構成するのに必要とされ得る重機と対照的に、個人の船舶によって牽引され、サーフィンが続いている間に操作されてもよい。
【００７３】
上記の説明は実施形態に言及しているが、特徴の異なる組み合わせによって他の実施形態を採用できることが理解されよう。そのような実施形態は本発明の趣旨および範囲内にある。
【図１ａ】
2018526546.tif 000003
【図１ｂ】
2018526546.tif 000004
【図１ｃ】
2018526546.tif 000005
【図２ａ】
2018526546.tif 000006
【図２ｂ】
2018526546.tif 000007
【図２ｃ】
2018526546.tif 000008
【図２ｄ】
2018526546.tif 000009
【図２ｅ】
2018526546.tif 000010
【図２ｆ】
2018526546.tif 000011
【図３】
2018526546.tif 000012
【図４ａ】
2018526546.tif 000013
【図４ｂ】
2018526546.tif 000014
【図５ａ】
2018526546.tif 000015
【図５ｂ】
2018526546.tif 000016
【図６】
2018526546.tif 000017
【図７】
2018526546.tif 000018
【図８】
2018526546.tif 000019
【図９】
2018526546.tif 000020
【図１０】
2018526546.tif 000021
【図１１】
2018526546.tif 000022
【国際調査報告】
2018526546.tif 000023
2018526546.tif 000024
2018526546.tif 000025